(57)【要約】【課題】全てが樹脂製の綴じ具において、綴じ棒及び側壁の強度に問題が無く、綴じ込み、組み立てが簡単で、また台紙の差し替えも簡単な見本帳用綴じ具を提案する。【解決手段】見本帳背表紙の内側面に固定される平板状の基板と、この基板の左右に起立、連設され、複数の挿通孔を穿設した側板とからなる基体と、先端にくびれ部を設けた複数の綴じ棒を平板に連設固定してなり、各綴じ棒を上記挿通孔に挿通可能とした綴じ杆と、綴じ棒を挿通孔に挿通したとき側板から突出する綴じ棒のくびれ部に係合する複数のＵ字状嵌合部を下辺に有する係止板とで見本帳用綴じ具を構成した。また、側板の各挿通孔間に一対の切り欠きを設けて上端縁に係止突起を有する係止片を形成すると共に、係止板の上縁に上記係止突起と係合する係合部を設けた。【選択図】　図１
2004114553.tif 000002
【特許請求の範囲】
【請求項１】
見本帳背表紙の内側面に固定される平板状の基板と、この基板の左右に起立、連設され、複数の挿通孔を穿設した側板とからなる基体と、先端にくびれ部を設けた複数の綴じ棒を平板に連設固定してなり、各綴じ棒を上記挿通孔に挿通可能とした綴じ杆と、綴じ棒を挿通孔に挿通したとき側板から突出する綴じ棒のくびれ部に係合する複数のＵ字状嵌合部を下辺に有する係止板とからなることを特徴とする見本帳用綴じ具。
【請求項２】
側板の各挿通孔間に一対の切り欠きを設けて上端縁に係止突起を有する係止片を形成すると共に、係止板の上縁に上記係止突起と係合する係合部を設けた請求項１記載の見本帳用綴じ具。
【請求項３】
各構成部材を焼却可能で環境を汚染しない合成樹脂で構成した請求項１または請求項２記載の見本帳用綴じ具。
【発明の詳細な説明】
【０００１】
【発明の属する技術分野】
この発明は、壁紙やカーテン、カーペットなどの見本帳の綴じ具に関し、特に、その構成部材が全て焼却可能な素材で構成されるとともに、見本台紙の綴じ込み、差し替えが簡単にできる見本帳の綴じ具に関するものである。
【０００２】
【従来の技術】
近年、種々の製品について環境配慮型の製品が求められる中で、カーテン・カーペットなどの建築資材の見本帳においても、廃棄時に素材の分別廃棄や一括焼却が可能な製品が求められるようになってきている。カーテン・カーペットなどの建築資材は、色、柄、素材などが流行や素材開発の進行にあわせて年々変わる。そこで、２〜３年の周期で新しい見本帳がカーテン・カーペットの製造業者により発行されて、建築会社や建築設計事務所などに配布されている。従って、２〜３年の周期で古くなった見本帳は廃棄されることになるが、これらの見本帳は大手の製造業者の場合、１０万冊以上の部数を配布しており、新規発行のたびに、古い見本帳が大量に廃棄されるので、環境に配慮した製品が望まれている。
【０００３】
特に従来の見本帳は、大きく重量があるので、表紙は厚紙（板紙）を使用し、見本台紙は紙製、台紙を綴じる綴じ具は見本重量に耐えられるように金属製の頑丈な構造・素材のものが用いられていた関係で、紙と金属とから構成されており、焼却する場合は、紙と金属素材に分別する必要があった。
【０００４】
しかしながら、前記の通り、見本帳自体が重量があるために頑丈に作られており、綴じ具と表紙の分離は非常に困難であって、結局は不燃ゴミとして埋め立て処分に回されることが多かった。そこで、最低限、一括して焼却できる見本帳が求められるようになり、構成素材が可燃物、即ち紙と樹脂のみで構成される見本帳が最近提案され、使用されるに至っている。例えば特許文献１に示すような、全体を焼却できる見本帳ファイルである。
【０００５】
一方、綴じ具についてみると、見本帳は、数多くの見本片を貼り付けるために大きなものが多く、しかも、壁紙、カーテン、カーペットなど被貼着物の重量もあって、通常のファイルなどよりも綴じ具の強度が求められる。さらに見本帳は持ち運びの必要もあるので、移動の際の不意の衝突の衝撃やテーブルに置くときの衝撃にも耐える強度が要求される。即ち、内装の相談のため施主などの顧客を訪問する営業員にとっては、見本帳を持参する必要があり、また建築現場における打ち合わせに持参する状況もあるので、多少荒い置き方にも耐える必要があった。そのため　従来の見本帳では、綴じ具は金属製のものが多く、しかも強度的にも頑丈な構造のものが大半であったので、一括焼却は出来なかったが、最近は社会的に環境配慮の要求が高まり、樹脂製の綴じ具が提案されるに至っている。例えば、特許文献２〜特許文献４に示すような、綴じ具である。
【０００６】
【特許文献１】
特開２０００−３４３８６８号公報
【特許文献２】
実用新案登録第３０７４３４７号公報
【特許文献３】
特開２００１−２１３０８１号公報
【特許文献４】
特開２００２−１０３８７０号公報
【０００７】
【発明が解決しようとする課題】
しかし、例えば特許文献１では、樹脂製の中空パイプを一本ずつ側壁の開口と台紙の綴じ穴に挿通し、両端をビス止めする必要があり、組み立て作業が煩雑で作業性に問題がある。また見本台紙の一部に差し替えの必要が生じたときに差し替えが煩雑であるという問題がある。また、特許文献２では、綴じ棒が断面扁平形状であり、綴じ棒にかかる負荷の方向によっては綴じ棒の強度が弱いという問題がある。特許文献３はピンの先端の環状凹部が挿入される切れ込みが固定板上にＬ字状に設けられているが、このような形状の切れ込みを設けると固定板の強度が弱くなる。さらに、特許文献４は、コ字状の綴付部材を台紙の綴じ孔に挿通して背表紙部材に保持させる構造であるが、綴付部材はコ字状であってストレートな形状ではないために台紙の綴じ孔に挿通するのは簡単ではない。また、見本台紙の一部に差し替えの必要が生じたときに差し替えが煩雑であるという問題がある。
【０００８】
そこで、本発明は、全てが樹脂製の綴じ具において、綴じ棒及び側壁の強度に問題が無く、綴じ込み、組み立てが簡単で、また台紙の差し替えも簡単な見本帳用綴じ具を提案することを目的とする。
【０００９】
【課題を解決するための手段】
上述した各課題を解決するため、本発明は、見本帳背表紙の内側面に固定される平板状の基板と、この基板の左右に起立、連設され、複数の挿通孔を穿設した側板とからなる基体と、先端にくびれ部を設けた複数の綴じ棒を平板に連設固定してなり、各綴じ棒を上記挿通孔に挿通可能とした綴じ杆と、綴じ棒を挿通孔に挿通したとき側板から突出する綴じ棒のくびれ部に係合する複数のＵ字状嵌合部を下辺に有する係止板とで見本帳用綴じ具を構成するという手段を採用した。
【００１０】
かかる構成の綴じ具は、複数の綴じ孔に一度に綴じ杆を挿通できるものである。また、突出した綴じ棒のくびれ部に係止板のＵ字状嵌合部を係合して綴じ杆を確実に固定する。従って、見本台紙を簡単かつ確実に綴じ込むことができ、差し替えの際も容易である。
【００１１】
また、かかる綴じ具において、側板の各挿通孔間に一対の切り欠きを設けて上端縁に係止突起を有する係止片を形成すると共に、係止板の上縁に上記係止突起と係合する係合部を設けるという手段を採用した。
【００１２】
切り欠きによって係止片が弾性的に揺動し、係止片の係合突起と係止板の係合部とが弾性的に係合する。したがって、係止板の不用意な脱落を防止する。
【００１３】
さらに、各構成部材を焼却可能で環境を汚染しない合成樹脂で構成するという手段を採用した。
【００１４】
この綴じ具を採用した見本帳を廃棄する場合、表紙と分別する必要が無く、全体を焼却可能であり、その際、環境を汚染することがない。
【００１５】
【発明の実施の形態】
以下、本発明に係る見本帳用綴じ具の好ましい実施形態を添付した図面に従って説明する。図１は、本発明の一実施形態に係る見本帳用綴じ具を取付けた見本帳を見開いた状態の分解斜視図である。また、図２は、係合突起と係合部の係合を示す部分拡大説明図である。
【００１６】
図において、１、１は見本帳の表裏の表紙、２は背表紙である。各表紙１、１、及び背表紙２は厚紙（板紙）で連続して形成されている。この背表紙２の内側面に本発明に係る綴じ具３が固定されている。固定は例えば合成樹脂製のリベット４、４・・・を用いて６カ所で固定する。このリベット４の数は限定するものではなく、機械的強度を考慮してその材質や数が決定される。また、綴じ具３の固定手段はリベットに限定されるものではなく、他の公知手段を採用することができる。
【００１７】
綴じ具３は、上記背表紙２の内側面に固定される基体５、見本台紙（図示せず）の綴じ孔に挿通する綴じ杆６、及び綴じ杆６を固定するための係止板７で構成されている。これらはいずれも所定の機械的強度を持った合成樹脂で形成されているが、焼却等しても有害な環境ホルモンを発生しない素材が好ましい。
【００１８】
基体５は、上記リベット４で直接背表紙２の内側面に固定される平板状の基板８と、この基板８に対して直角に起立、連設された側板９、９で形成され、各側板９にはそれぞれ対向して６つの挿通孔１０、１０・・・が穿設されている。また、片方の側板９の各挿通孔１０の間にはそれぞれ一対の切り欠き１１、１１・・・を設け、上記係止板７を固定するための係止片１２を形成している。この係止片１２の上端縁外側には係止突起１２ａが突成されている（図２参照）。係止片１２は切り欠き１１により弾性的に揺動することになり、下述する係止板の係合部と係合して係止板の脱落を防止する。なお、上記挿通孔１０の数は上記に限定するものではなく、見本帳の大きさに応じて任意の数が選択でき、係止片１２の数もこれに応じて選定される。
【００１９】
綴じ杆６は、上記挿通孔１０のピッチにあわせて、３本の綴じ棒１３、１３・・・を平板１４に互いに平行に連設固定したもので、各綴じ棒１３の先端には細径のくびれ部１５を形成している。このくびれ部１５は、綴じ杆６を上記挿通孔１０に完全に挿通した状態で、反対側の側板９の外側に位置するように設けられている。綴じ杆６の形態もこれに限定するものではなく、任意の複数本の綴じ棒１３を平板１４に互いに平行に固定したものであればよく、上記挿通孔１０の数と対応して決定される。
【００２０】
係止板７は、下辺に上記綴じ棒１３のくびれ部１５がそれぞれ係合する複数のＵ字状嵌合部１６、１６・・・を設けると共に、上辺に上記基体５の側板９に設けた係止片１２の係止突起１２ａと係合する係合部７ａを設けている。なお、上記係止突起１２ａと係合部７ａの係合は、係止板７の不用意な脱落を防止するためのものであり、必要に応じて設ければよい。
【００２１】
次に、この綴じ具の使用方法について述べると、見本台紙の束を側板９間に位置させ、挿通孔１０と見本台紙の綴じ孔を一致させる。次に綴じ杆６を挿通孔１０、及び見本台紙の綴じ孔に挿通し、反対側の側板９まで突出させる（図２参照）。綴じ杆６は複数の綴じ棒１３を固定しているので、綴じ棒を１本ずつ挿通する場合に比べて、手間が軽減される。このとき各綴じ棒１３の先端のくびれ部１５が側板９の外側に露出するので、上方から係止板７のＵ字状嵌合部１６を係合させる。これによって見本台紙は確実に綴じられる。また、係止片１２の係止突起１２ａが係止板７の係合部７ａと弾性的に係合するので、係止板７の脱落が完全に防止でき、見本台紙を確実に綴じ込むことが出来る。
【００２２】
【発明の効果】
以上述べたように、本発明にかかる見本帳用綴じ具は、これを構成する基体、綴じ杆、係止板を所定の合成樹脂素材で形成したものであるから、厚紙製の表紙と分別することなく、見本帳全体をそのまま焼却等の廃棄が可能であり、環境に配慮した見本帳を提供することが出来る。
【００２３】
複数の綴じ棒を平板に固定して綴じ杆として構成したので、綴じ棒の強度が増すと共に、複数の綴じ孔に一度に簡単に挿通することができ、見本台紙の綴じ込みが簡単になった。
【００２４】
側板には基本的に単純な挿通孔を設けるだけであるから、前述した従来品に比べ側板の強度を十分に確保することができる。
【００２５】
各綴じ棒の先端にくびれ部を設け、これに係止板のＵ字状嵌合部を係合させるだけで綴じ棒を簡単かつ確実に固定することができるようになったので、従来のような複雑な手間を排除して、台紙の綴じ込みの手間が大幅に軽減できた。
【００２６】
必要に応じて、側壁に切り欠きを設けて係止片を形成し、係止板の係合部と係合するようにしたので、係止板が確実に固定され、不用意に綴じ棒がはずれることが無く、見本台紙の脱落を確実に防止することができる。
【図面の簡単な説明】
【図１】本発明にかかる見本帳用綴じ具を取付けた見本帳を見開いた状態を示す分解斜視図である。
【図２】係合突起と係合部の係合を示す部分拡大説明図である。
【符号の説明】
１　　表紙
２　　背表紙
３　　綴じ具
４　　リベット
５　　基体
６　　綴じ杆
７　　係止板
７ａ　係合部
８　　基板
９　　側板
１０　　挿通孔
１１　　切り欠き
１２　　係止片
１２ａ　係止突起
１３　　綴じ棒
１４　　平板
１５　　くびれ部
１６　　Ｕ字状嵌合部
【図１】
2004114553.tif 000003
【図２】
2004114553.tif 000004